(57)【特許請求の範囲】
【請求項１】
通信ネットワークにおける移動元のモビリティ・アクセス・ゲートウェイ（ｐＭＡＧ）に関連付けられた移動元の接続点（ｐ−ＰｏＡ）から、移動先のモビリティ・アクセス・ゲートウェイ（ｎＭＡＧ）に関連付けられた移動先の接続点（ｎ−ＰｏＡ）への移動端末（ＭＮ）のハンドオーバ方法であって、前記ｐＭＡＧおよび前記ｎＭＡＧがモビリティ・アンカー（ＬＭＡ）と関連付けられ、
前記ｎＭＡＧが、前記ＭＮに関するハンドオーバ・インジケータを前記ｐＭＡＧから受信するステップと、
前記ｎＭＡＧにおいて前記ハンドオーバ・インジケータを受信した後で、前記ｎＭＡＧが前記ＬＭＡとの一時的バインディングを確立するステップと、
前記一時的バインディングの確立に続いて、前記ＭＮと前記ｎ−ＰｏＡの間の接続を確立する前に、前記ｎＭＡＧがダウンロードされた前記ＭＮ用データを前記ＬＭＡから受信して、前記ハンドオーバ・インジケータによってトリガされる、前記ＬＭＡに対する一時的バインディング・アップデートを実行するステップとを含み、
前記ハンドオーバ・インジケータは高速モバイル・インターネット・プロトコル（ＦＭＩＰ）のＨＩメッセージを改変したものである、方法。
【請求項２】
前記ＭＮがｎ−ＰｏＡと接続を確立した後で、前記一時的バインディングが通常のバインディングにアクティブ化される、請求項１に記載の方法。
【請求項３】
前記ｎＭＡＧがタイマ期間内に前記一時的バインディングを通常のバインディングにアクティブ化するステップを含む、請求項２に記載の方法。
【請求項４】
前記ＭＮがアタッチした後でｎ−ＰｏＡによって送信されるトリガをｎ−ＰｏＡから受信すると、前記ｎＭＡＧが前記一時的バインディングを通常のバインディングにアクティブ化するステップを含む、請求項２に記載の方法。
【請求項５】
前記ハンドオーバ・インジケータの後にｐＭＡＧによって送信される同期トリガをｐＭＡＧから受信すると、前記ｎＭＡＧが前記ＬＭＡと一時的バインディングを確立するステップを含む、請求項１、２、３、または４に記載の方法。
【請求項６】
ｐＭＡＧとｎＭＡＧの間のＭＮコンテキスト・トランスファを含む、請求項１乃至５のいずれか１項に記載の方法。
【請求項７】
前記ＭＮがｎＭＡＧに移動し、それに応じて前記モビリティ・アンカーにおける前記バインディングが更新されたというシグナルをＬＭＡからｐＭＡＧに送信するステップと、
前記ｐＭＡＧにおいてバッファリングされ、前記ＭＮを宛先とし、前記ＭＮに送信できなくなった少なくとも１つのデータ・パケットを、前記ＬＭＡにおける前記新しいバインディングを使用して、ｐＭＡＧから前記ＬＭＡに、および前記ＬＭＡから前記ｎＭＡＧに返送するステップとを含む失敗モードを含む、請求項１乃至６のいずれか１項に記載の方法。
【請求項８】
ＰＭＩＰモバイル・インターネット・プロトコル（ＰＭＩＰ）ドメインにおいて実施される、請求項１乃至７のいずれか１項に記載の方法。
【請求項９】
請求項１乃至８のいずれか１項に記載の方法を実施するように動作するモビリティ・アクセス・ゲートウェイ。
【請求項１０】
請求項３または４に記載の方法を実施するように動作し、かつ前記一時的バインディングの通常のバインディングへのアクティブ化によって前記ｎＭＡＧがタイマ期間内で前記ハンドオーバの成功を確認した場合を除いて前記モビリティ・アンカーによって自動的に削除される一時的バインディングを実施するように動作するローカル・モビリティ・アンカー。
【発明の詳細な説明】
【技術分野】
【０００１】
本発明は、通信ネットワークにおける移動元のモビリティ・アクセス・ゲートウェイ（ｐＭＡＧ：ｐｒｅｖｉｏｕｓ  ｍｏｂｉｌｉｔｙ  ａｃｃｅｓｓ  ｇａｔｅｗａｙ）に関連付けられた移動元の接続点（ｐ−ＰｏＡ：ｐｒｅｖｉｏｕｓ  ｐｏｉｎｔ  ｏｆ  ａｔｔａｃｈｍｅｎｔ）から、移動先の（ｎｅｗ）モビリティ・アクセス・ゲートウェイ（ｎＭＡＧ）に関連付けられた移動先の接続点（ｎ−ＰｏＡ）への移動端末（ＭＮ）のハンドオーバ方法に関する。本発明は、詳細には、プロキシ・モバイル・インターネット・プロトコル（ＰＭＩＰ）の実装方法に関するが、これに限定されるものではない。
【背景技術】
【０００２】
モバイルＩＰ（ＭＩＰ）は、インターネット技術標準化委員会（ＩＥＴＦ）によって開発された通信プロトコルで、移動端末（ＭＮ）が異なるネットワーク間でローミングすることを可能にする。このプロトコルでは、ＭＮは、外部ネットワークに接続しているときでも自分宛てのデータを受信できるように、ドメイン間を移動しても永続的なホーム・アドレスを保持する。
【０００３】
移動端末の大きな関与を必要とすることなくＩＰモビリティを実現するために、ＩＥＴＦのワーキング・グループｎｅｔｌｍｍがプロキシＭＩＰ（ＰＭＩＰ）プロトコルを開発した（ＲＦＣ５２１３−Ｐｒｏｘｙ  Ｍｏｂｉｌｅ  ＩＰｖ６を参照）。ＰＭＩＰはＭＩＰの変形である。ＰＭＩＰでは、ＭＮの代わりにモビリティ関連シグナリングを実施するモビリティ・アクセス・ゲートウェイ（ＭＡＧ）が導入される。ＭＡＧは、ローカル・モビリティ・アンカー（ＬＭＡ：Ｌｏｃａｌ  Ｍｏｂｉｌｉｔｙ  Ａｎｃｈｏｒ）およびＭＮの接続点（ＰｏＡ）と通信する。ＭＮを移動元のＰｏＡまたは移動元のアクセス・ルータ（ＰＡＲ）から移動先のＰｏＡまたは移動先のアクセス・ルータ（ＰＡＲ）に移すためのハンドオーバ手順の実施中に、ハンドオーバの待ち時間およびパケット損失を伴うサービスの中断が発生することがある。ＰＭＩＰベースの標準は、ＩＰハンドオーバ中のモビリティ・シグナリングにおけるＭＮの最小限の関与を必要とするように設計されているので、アドレス構成およびトンネルの生成が原因で発生するハンドオーバの待ち時間およびパケット損失の減少には対応していない。
【０００４】
たとえば準備段階および接続点間の双方向トンネルがある高速ＭＩＰ（ＦＭＩＰ：Ｆａｓｔ  ＭＩＰ）（ＲＦＣ５２６８−Ｍｏｂｉｌｅ  ＩＰｖ６  Ｆａｓｔ  Ｈａｎｄｏｖｅｒｓ）に記載されているクライアント・ベースのＩＰモビリティ・プロトコルでは、ハンドオーバの待ち時間を減少させる仕組みが知られている。これらの手段によって、単一インタフェースを有するＭＮは、双方向トンネルを確立してから新しいリンクを確立し、したがってホーム・エージェント（ＨＡ）とのバインディングを更新できることによってハンドオーバを高速化することができる。ＰＭＩＰハンドオーバで使用するためにＦＭＩＰシグナリング・スキームを調整するためのいくつかの提案がなされている。たとえば、ＩＥＴＦ文書ｄｒａｆｔ−ｉｅｔｆ−ｍｉｐｓｈｏｐ−ｐｆｍｉｐｖ６−０１．ｔｘｔ（さらに、以前なされた提案であるｄｒａｆｔ−ｙｏｋｏｔａ−ｍｉｐｓｈｏｐ−ｐｆｍｉｐｖ６−０２．ｔｘｔ、ｄｒａｆｔ−ｘｉａ−ｎｅｔｌｍｍ−ｆｍｉｐｍｎａｇｎｏ−００．ｔｘｔ、およびｄｒａｆｔ−ｈａｎ−ｎｅｔｌｍｍ−ｆａｓｔ−ｐｍｉｐｖ６−００．ｔｘｔ）を参照されたい。しかし、現在公表されている、ＰＭＩＰにＦＭＩＰの方策を取り入れるための手法では、ＰＭＩＰの特定の利点を考慮せず、ＦＭＩＰを再使用するだけである。ＦＭＩＰでは、バインディング・アップデート（ｂｉｎｄｉｎｇ  ｕｐｄａｔｅ）はＭＮによって行われ、したがってＭＮが移動先のＰｏＡにアタッチした後でのみ実施することができ、ホーム・エージェントに対するバインディング・アップデート手順はシーケンスの終了時に行われる。
【０００５】
ＰＭＩＰにおけるハンドオーバの性能を改善するための別の提案では、ハンドオーバ中の２つの同時バインディングを利用するために一時的バインディングが提案された。たとえば、ＩＥＴＦ文書ｄｒａｆｔ−ｉｅｔｆ−ｍｉｐｓｈｏｐ−ｔｒａｎｓｉｅｎｔ−ｂｃｅ−ｐｍｉｐｖ６−００．ｔｘｔ（さらに、３ＧＰＰ  ＳＡＥドキュメントＳ２−０８２５３８、Ｓ２−０８３６９０、Ｓ２−０８４９５７、および以前のＩＥＴＦ文書ｄｒａｆｔ−ｂｌｕｍｅ−ｎｅｔｌｍｍ−ｓｅｃｏｎｄａｒｙ−ｂｉｎｄｉｎｇ−ｐｒｏｘｙｍｉｐ６ｈｏ−００．ｔｘｔ、ｄｒａｆｔ−ｌｉｅｂｓｃｈ−ｎｅｔｌｍｍ−ｔｒａｎｓｉｅｎｔ−ｂｃｅ−ｐｍｉｐｖ６−００．ｔｘｔ、ｄｒａｆｔ−ｍｕｈａｎｎａ−ｎｅｔｌｍｍ−ｐｍｉｐｖ６−ｓｕｐｐｏｒｔ−ｔｒａｎｓｉｅｎｔ−ｃｏａ−０１．ｔｘｔも）参照されたい。一時的バインディングによって、ＭＮは移動元のＰｏＡおよび移動元のＭＡＧに引き続きアタッチしながら移動先のＭＡＧへのバインディングをあらかじめ確立することができる。
【先行技術文献】
【非特許文献】
【０００６】
【非特許文献１】ＲＦＣ５２１３−Ｐｒｏｘｙ  Ｍｏｂｉｌｅ  ＩＰｖ６
【非特許文献２】ＲＦＣ５２６８−Ｍｏｂｉｌｅ  ＩＰｖ６  Ｆａｓｔ  Ｈａｎｄｏｖｅｒｓ
【非特許文献３】ＩＥＴＦ文書ｄｒａｆｔ−ｉｅｔｆ−ｍｉｐｓｈｏｐ−ｐｆｍｉｐｖ６−０１．ｔｘｔ
【非特許文献４】ＩＥＴＦ文書ｄｒａｆｔ−ｙｏｋｏｔａ−ｍｉｐｓｈｏｐ−ｐｆｍｉｐｖ６−０２．ｔｘｔ
【非特許文献５】ＩＥＴＦ文書ｄｒａｆｔ−ｘｉａ−ｎｅｔｌｍｍ−ｆｍｉｐｍｎａｇｎｏ−００．ｔｘｔ
【非特許文献６】ＩＥＴＦ文書ｄｒａｆｔ−ｈａｎ−ｎｅｔｌｍｍ−ｆａｓｔ−ｐｍｉｐｖ６−００．ｔｘｔ
【非特許文献７】ＩＥＴＦ文書ｄｒａｆｔ−ｉｅｔｆ−ｍｉｐｓｈｏｐ−ｔｒａｎｓｉｅｎｔ−ｂｃｅ−ｐｍｉｐｖ６−００．ｔｘｔ
【非特許文献８】３ＧＰＰ  ＳＡＥドキュメントＳ２−０８２５３８
【非特許文献９】３ＧＰＰ  ＳＡＥドキュメントＳ２−０８３６９０
【非特許文献１０】３ＧＰＰ  ＳＡＥドキュメントＳ２−０８４９５７
【非特許文献１１】ＩＥＴＦ文書ｄｒａｆｔ−ｂｌｕｍｅ−ｎｅｔｌｍｍ−ｓｅｃｏｎｄａｒｙ−ｂｉｎｄｉｎｇ−ｐｒｏｘｙｍｉｐ６ｈｏ−００．ｔｘｔ
【非特許文献１２】ＩＥＴＦ文書ｄｒａｆｔ−ｌｉｅｂｓｃｈ−ｎｅｔｌｍｍ−ｔｒａｎｓｉｅｎｔ−ｂｃｅ−ｐｍｉｐｖ６−００．ｔｘｔ
【非特許文献１３】ＩＥＴＦ文書ｄｒａｆｔ−ｍｕｈａｎｎａ−ｎｅｔｌｍｍ−ｐｍｉｐｖ６−ｓｕｐｐｏｒｔ−ｔｒａｎｓｉｅｎｔ−ｃｏａ−０１．ｔｘｔ
【発明の概要】
【課題を解決するための手段】
【０００７】
本発明によれば、通信ネットワークにおける移動元のモビリティ・アクセス・ゲートウェイ（ｐＭＡＧ）に関連付けられた移動元の接続点（ｐ−ＰｏＡ）から、移動先のモビリティ・アクセス・ゲートウェイ（ｎＭＡＧ）に関連付けられた移動先の接続点（ｎ−ＰｏＡ）への移動端末（ＭＮ）のハンドオーバ方法であって、ｐＭＡＧおよびｎＭＡＧがモビリティ・アンカー（ＬＭＡ）と関連付けられた方法は、ｎＭＡＧが、ＭＮに関するハンドオーバ・インジケータをｐＭＡＧから受信するステップを含む。ｎＭＡＧにおいてハンドオーバ・インジケータを受信した後で、ｎＭＡＧはＬＭＡとの一時的バインディングを確立する。一時的バインディングの確立に続いて、ＭＮとｎ−ＰｏＡの間の接続を確立する前に、ｎＭＡＧは、ダウンロードされたＭＮ用データをＬＭＡから受信する。
【０００８】
本発明による１つの方法は、プロキシ・モバイル・インターネット・プロトコル（ＰＭＩＰ）を用いて実施される。ＭＮがまだｎＭＡＧにアタッチしていないとき、ＰＭＩＰではＭＮが確実に接続されていることがｎＭＡＧに要求されるので、ＰＭＩＰの場合、通常のプロキシ・バインディング・アップデート（ＰＢＵ）は行うことができない。しかし、一時的バインディングを使用して、このセキュリティ上の問題を解消することができる。一実施形態では、ｄｒａｆｔ−ｉｅｔｆ−ｍｉｐｓｈｏｐ−ｔｒａｎｓｉｅｎｔ−ｂｃｅ−ｐｍｉｐｖ６  −００．ｔｘｔに記載されているように、早期の一時的バインディングが使用され、所与のタイマ期間（ｔｉｍｅｒ  ｐｅｒｉｏｄ）の後にＬＭＡによって自動的にアクティブ化される。
【０００９】
さらにセキュリティ保護された実施形態では、新しいタイプの早期の一時的バインディングが提案されている。このバインディングは、一時的バインディング・アップデート・メッセージで新しいＦＡＳＴフラグを使用することができる。早期の一時的バインディングは、高速ハンドオーバが失敗した場合、たとえば、一時的バインディングが所与のタイマ期間内にｎ−ＭＡＧによってアクティブ化されない場合に、ＬＭＡによって自動的に削除されるように構成される。
【００１０】
早期の一時的バインディングが使用されるとき、ｎＭＡＧは、したがって、ｐＭＡＧからのハンドオーバ指示（Ｈａｎｄｏｖｅｒ  Ｉｎｄｉｃａｔｉｏｎ）によってトリガされる、ハンドオーバの準備段階中にＬＭＡに対する一時的バインディング・アップデートを実施することができる。本発明のいくつかの実施形態では、ハンドオーバ指示は、ＦＭＩＰプロトコルのＨＩメッセージを改変したものとすることができる。
【００１１】
本発明による方法では、ＭＮがｎ−ＰｏＡと接続を確立した後で、一時的バインディングが通常のバインディングにアクティブ化される。新しい接続の確立後に一時的バインディングをアクティブ化することによって、データ経路のさらなる変更はない。したがって、ＦＭＩＰの原理を使用しながら、ＦＭＩスキーマの典型的なジッタおよび待ち時間は回避されるか減少する。一実施形態では、ｎＭＡＧは、ＭＮとｎ−ＰｏＡの間の接続の確立を示すインジケータを受信すると、一時的バインディングを通常のバインディングにアクティブ化する。これによって、ＰＭＩＰが要求するとおり、ＭＮが現在ｎＭＡＧにアタッチしていることが確認される。別の実施形態では、ＬＭＡは、あるタイマ期間の後で、一時的バインディングを通常のＰＭＩＰバインディングにアクティブ化する。
【００１２】
本発明による方法では、一時的バインディングによって、モビリティ・アンカー（ＬＭＡ）の早期アップデートが可能になる。ｐＭＡＧとｎＭＡＧの間の双方向トンネルは、データをｎＭＡＧに転送するために必要とされるのではない。使用する必要があるのは、ｐＭＡＧとｎＭＡＧの間の制御プレーン・シグナリングのみである。したがって、これによってＬＭＡとｐＭＡＧとｎＭＡＧの間のパケットの不必要なオーバーヘッドおよびルーティングが回避され、パケット損失の可能性が低下する。これは、ＰＭＩＰドメインで使用される部分メッシュ・ネットワーク・トポロジ（ｐａｒｔｌｙ  ｍｅｓｈｅｄ  ｎｅｔｗｏｒｋ  ｔｏｐｏｌｏｇｙ）において特に有利である。
【００１３】
ＭＮとｐＭＡＧの間のリンクが切断される前に一時的バインディングが確立されなかった場合（リアクティブ・モード）、ＬＭＡは、配信不可能ないくつかのデータ・パケットをｐＭＡＧに送信することができる。これは、ＬＭＡがこのＭＮのための新しいＰＢＵをｎＭＡＧから受信したときにｐＭＡＧに対するＬＭＡのバインディングを取り消すことと合わせて考慮され得る。次に、ｐＭＡＧは、バッファリングされたデータをＬＭＡに返送し、ＬＭＡは、新しいプロキシ・バインディングに従って、このデータをｎＭＡＧにルーティングし直す。この方法によって、ｐＭＡＧにおけるパケット損失は回避されるが、これらのパケットは、ｎＭＡＧとｐＭＡＧの間のラウンドトリップ時間が原因で遅延することがある。
【００１４】
本発明のいくつかの実施形態は、添付の図を参照して例示としてのみ記載されるものである。
【図面の簡単な説明】
【００１５】
【図１】本発明による方法の概略図である。
【図２】本発明による別の方法の概略図である。
【発明を実施するための形態】
【００１６】
ＰＭＩＰでは、ネットワークが、モビリティ・アンカー（ＬＭＡ、ホーム・エージェント）において気付アドレス（ＣｏＡ）のプロキシ・バインディングを実施する。したがって、ＬＭＡにおいてプロキシ・バインディングを実施するために、ＭＮの移動先のアクセス・ルータ（ＡＲ）でＭＮのリンクアップを待機する必要はない。その代わり、既にｐＭＡＧがプレディクティブＨＯを決定した場合、ネットワークはｎＭＡＧへのダウンリンク・パケットの転送をトリガする。すなわち、ｐＭＡＧはＬＭＡにおけるバインディング・キャッシュを更新することをｎＭＡＧに要求する。そのうえ、これにより、双方向トンネルを解放するときにＦＭＩＰで生じる中断または再順序付け（ｒｅｏｒｄｅｒｉｎｇ）が回避される。本発明は、トンネリングのオーバーヘッドおよびハンドオーバの待ち時間を減少させる、ＰＭＩＰドメインにおける予測的ハンドオーバのための単純なシグナリング・スキームで実施することができる。
【００１７】
図１を参照すると、移動端末（ＭＮ）のハンドオーバで使用される、ＰＭＩＰ準拠のシグナリング・プロトコルのステップ（ａ）から（ｎ）が示されている。関係するエンティティは、ｐＭＡＧに関連付けられたｐ−ＰｏＡ、ｎＭＡＧに関連付けられたｎ−ＰｏＡ、およびＬＭＡである。
【００１８】
（ａ）ステップ（ａ）では、ハンドオーバが行われようとしており、リンク固有のハンドオーバ前の手順が実施される。この手順には、ｎ−ＰｏＡの可用性を検出するためのＭＮの評価を含むことができる。ハンドオーバ前の手順は、ホストから開始されてもよいし、ネットワークから開始されてもよい。
【００１９】
（ｂ）ＭＮが現在アタッチしているｐ−ＰｏＡが、ｐＭＡＧに、ＭＮのハンドオーバが要求されることを知らせる。このメッセージは、ＭＮ識別子（たとえば、ネットワーク・アクセス識別子（ＮＡＩ、ＲＦＣ−４２８２）、ＭＡＣアドレス、または他のリンク層アドレス）と、ｎ−ＰｏＡの識別情報とを含む。
【００２０】
（ｃ）ｐＭＡＧが、ｎ−ＰｏＡ  ＩＤによって解決されるｎＭＡＧのアドレスに、ハンドオーバ開始（Ｈａｎｄｏｖｅｒ  Ｉｎｉｔｉａｔｅ）メッセージ（ＨＩ）を送信する。このＨＩメッセージは、ＭＮの識別情報であるＭＮ  ＩＤを含み、任意選択で、コンテキスト情報、たとえばＬＭＡアドレスまたはＭＮのＰＭＩＰホーム・ネットワーク・プレフィックス（Ｈｏｍｅ  Ｎｅｔｗｏｒｋ  Ｐｒｅｆｉｘ）をさらに含む。
【００２１】
（ｄ）ｎＭＡＧが、ｐＭＡＧに、ハンドオーバ応答メッセージ（Ｈａｎｄｏｖｅｒ  Ａｃｋｎｏｗｌｅｄｇｍｅｎｔ）ＨＡｃｋを送信する。
【００２２】
（ｅ）ｐＭＡＧが、ｐ−ＰｏＡにＨａｃｋの成功を通知する。ｐ−ＰｏＡは、ＭＮに対するリンク固有の指示を使用して、ここでＭＮのアタッチメントの変更をトリガしてもよい。
【００２３】
（ｆ）ｎＭＡＧが一時的バインディングを確立し、ＭＮ−ＩＤを有するＭＮのダウンロード経路ＤＬの早期切り換えが行われる。ＰＭＩＰではＭＮが確実にアタッチしていることがｎＭＡＧに要求されるので、ＰＭＩＰの場合、通常のプロキシ・バインディング・アップデートＰＢＵは行うことができない。しかし、一時的バインディングによって、このセキュリティ上の問題が解消される。
【００２４】
（ｇ）ＬＭＡが、ｎＭＡＧにプロキシ・バインディング応答メッセージ（Ｐｒｏｘｙ  Ｂｉｎｄｉｎｇ  ａｃｋｎｏｗｌｅｄｇｅｍｅｎｔ）ＰＢＡｃｋを送信する。ＬＭＡは、ＤＬデータのｎＭＡＧへの転送を開始する。
【００２５】
（ｈ）ｎＭＡＧがパケットのバッファリングを開始する。
【００２６】
（ｉ）ＭＮが、移動先のアクセス・ネットワークにハンドオーバし、ｎ−ＰｏＡとの接続を確立する（たとえば無線チャネル）。
【００２７】
（ｊ）次に、このアタッチメントにより、ｎ−ＰｏＡとｎＭＡＧの間のＭＮに対する接続の確立がトリガされる。このステップは、ステップ（ｃ）で受信されたコンテキスト情報を使用することによって高速化することができる。
【００２８】
（ｋ）一時的バインディングが事前に確立されていることにより、ｎＭＡＧは、ＭＮを宛先とするバッファリングしたパケットおよび新しいパケットをｎ−ＰｏＡを介して直ちに送り始めることができる。
【００２９】
（ｌ）ＭＮからのアップリンク・パケットはｎ−ＰｏＡを介してｎＭＡＧに送信され、ｎＭＡＧは、事前に確立されたＭＮの一時的バインディングを使用して、そのパケットをＬＭＡに転送する。
【００３０】
（ｍ）ｎ−ＰｏＡは、ＭＮのハンドオーバが終了したことを知らせる。
【００３１】
（ｎ）ｎＭＡＧは、一時的バインディングを通常のＰＭＩＰバインディングにアクティブ化する。これによるデータ経路での遅延またはジッタは生じない。このアクティブ化によって、ＰＭＩＰが要求するとおり、ＭＮが現在ＮＭＡＧにアタッチしていることがタイマ期間内に確認されることになっている。
【００３２】
別の実施形態では、ステップ（ｃ）ではｎＭＡＧを準備するだけで、ＨＡｃｋを送信した後、ｎＭＡＧは、ＭＮ  ＩＤを有する一時的バインディング・アップデートをいつＬＭＡに送信するべきかを決定するために、ｐＭＡＧからのさらなるトリガを待機する。
【００３３】
図２を参照すると、別の実施形態では、ステップ（ｄ）でＨＡｃｋが送信される代わりに、ｎＭＡＧはまず、一時的バインディングのためにＬＭＡとのシグナリングを実施する。すなわち、ＨＡｃｋは、ステップ（ｅ）でｎＭＡＧがＬＭＡからＰＢＡｃｋを受信するまで遅延される。これにより、引き続きＬＭＡからｐＭＡＧに送信されるパケットの量が減少し、したがってステップ（ｇ）でＰｏＡを変更するためにｐ−ＰｏＡがＭＮをトリガするときに通信中のパケットが損失するリスクが低下する。
【００３４】
本発明は、その精神または本質的な特徴から逸脱することなく、他の特定の形態にて実施することができる。説明した実施形態は、あらゆる点で限定ではなく例示にすぎないと見なすべきである。したがって、本発明の範囲は、前述の説明ではなく添付の特許請求の範囲によって示される。特許請求の範囲と等価な意味および範囲内に含まれるあらゆる変更は、特許請求の範囲内に包含されるべきである。
【図１】
0005367093.tif 000002
【図２】
0005367093.tif 000003